(57)【要約】【課題】コンテナの妻柱の構造を小型化し、コンテナを吊り上げた際の妻柱に対する負担を低減させ、荷物の出し入れするための開口幅及びコンテナの室内容積を拡大させ、かつ、コンテナを軽量化させる。【解決手段】コンテナ１では、トップリフタの連結具と前妻側金具15R及び後妻側金具17Rとを連結して、コンテナ１をトップリフタによって吊って上下させた際、前妻柱19A及び後妻柱49Aに対して外力がかかるが、後妻面7側では、後妻側金具17Rが後妻柱49Aの上端に取付けられているので、後妻柱49Aに対して曲げモーメントが減少し、外力の影響を小さくし、外力の負担を低減させる。一方、前妻面5側では、前妻側金具15Rが前妻面5の壁面からオフセットされているので、前妻柱19Aに対して曲げモーメントが生じ、外力の影響が大きくなる。しかし、前妻面5側は壁構造をなしており、前妻柱19Aにかかる外力を壁面で負担しているので、前妻柱19Aに対する外力を低減させることが可能となる。【選択図】図１
2020111363.tif 000002
【特許請求の範囲】
【請求項１】
妻面の各壁面のうち前妻面が壁構造をなし、後妻面及び側面の各壁面のうち少なくとも一面が開口部を有し、該開口部に扉を備えるコンテナであって、
一対の前妻柱と、一対の後妻柱と、前記コンテナの長手方向に沿って延びる、前記一対の前妻柱と前記一対の後妻柱との辺間をつなぐ側上梁及び側下梁と、前記コンテナの幅方向に沿って延びる、前記一対の前妻柱の辺間をつなぐ前妻上梁及び前妻下梁と、前記コンテナの幅方向に沿って延びる、前記一対の後妻柱の辺間をつなぐ後妻上梁及び後妻下梁とを備えるコンテナ本体と、
前記一対の後妻柱の上端に固定される第１隅金具と、
前記前妻面の壁面からオフセットされ、連結部を介して前記一対の前妻柱の上端と連結される第２隅金具と、を備えるコンテナ。
【請求項２】
前記一対の前妻柱は、外板と、該外板の内面に接合される第１内側部材及び第２内側部材と、を含み、
前記外板は、正面視矩形状の板状部材であり、
前記第１内側部材は、断面視コの字状をなし、該コの字状を構成する２つの脚部が前記外板の内面に接合され、
前記第２内側部材は、断面視Ｌ字状をなし、前記第１内側部材よりも前記コンテナの幅方向室内側に位置され、前記Ｌ字状を構成する一方の脚部が前記外板の内面に接合され、他方の脚部が前記第１内側部材に接合されることを特徴とする請求項１に記載のコンテナ。
【請求項３】
前記一対の後妻柱は、外側部材と、該外側部材の内面に接合される内側部材と、を含み、
前記外側部材は、前記コンテナの室内側から前記コンテナの幅方向外側に延びる第１脚部と、該第１脚部に続いて、前記第１脚部の基端から前記コンテナの長手方向内側へと略直角に折り曲げられ、前記コンテナの長手方向に沿って延びる平面部と、該平面部に続いて、前記コンテナの幅方向室内側にクランク状に折り曲げられるクランク部と、該クランク部に続いて、前記コンテナの幅方向室内側に略直角に折り曲げられ、前記コンテナの幅方向室内側に延びる第２脚部と、を含み、
前記内側部材は、断面視コの字状をなし、該コの字状を構成する一方の脚部が前記外側部材の前記平面部の内面に接合され、他方の脚部の外面が前記外側部材の前記第２脚部の内面と接触する態様で接合されることを特徴とする請求項１又は２に記載のコンテナ。
【請求項４】
前記側下梁は、外側部材と、該外側部材の内面に接合される内側部材と、を含み、
前記外側部材は、平面視矩形状の板状部材であり、
前記内側部材は、断面視コの字状をなし、該コの字状を構成する２つの脚部が前記外側部材の内面に接合され、前記外側部材が前記内側部材よりも肉厚に形成されていることを特徴とする請求項１乃至３のいずれか１項に記載のコンテナ。
【請求項５】
前記一対の前妻柱の、前記コンテナの長手方向室内側の上端側面には、前記コンテナの長手方向に沿って延び、前記側上梁に接合される板状の補強部材が設けられていることを特徴とする請求項１乃至４に記載のコンテナ。
【発明の詳細な説明】
【技術分野】
【０００１】
本発明は、荷物を収納するコンテナに関する。
【背景技術】
【０００２】
様々な荷物を収容するコンテナは、通常、梁及び柱とからなるコンテナ枠体と、妻面及び側面の各壁面の少なくとも１つの面に、荷物の出し入れするための開口部を有し、この開口部に扉が設けられている。また、コンテナの、地上から鉄道車両への荷役作業又は鉄道車両から地上への荷役作業等のその他の荷役作業を行うために、コンテナには、トップリフタの連結具と連結される、複数の金具（隅金具）が設けられている（例えば、特許文献１参照）。
【先行技術文献】
【特許文献】
【０００３】
【特許文献１】特開２０１３−５６６７７号公報
【発明の概要】
【発明が解決しようとする課題】
【０００４】
ところで、荷役作業の対象となるコンテナの全長よりも短いコンテナ用のトップリフタを用いる場合には、コンテナの隅金具のスパンをトップリフタ側連結具（ツイストロックピン）のスパンに合わせて設置する必要がある。
【０００５】
本発明は、上述のようなケースにおいて、コンテナの妻柱の構造を小型化し、コンテナを吊り上げた際の妻柱に対する負担を低減させ、荷物の出し入れをするための開口幅及びコンテナの室内容積を拡大させ、かつ、コンテナを軽量化させることにある。
【課題を解決するための手段】
【０００６】
（発明の態様）
以下の発明の態様は、本発明の態様を例示するものであり、本発明の多様な構成要素の理解を容易にするために、項分けして説明するものである。以下の各項は、本発明の技術的範囲を限定するものではなく、本発明を実施する最良の形態を参酌しつつ、各項の構成要素の一部を置換し、削除し、または、さらに他の構成要素を付加した態様についても、本発明の一態様になり得るものである。
【０００７】
（１）妻面の各壁面のうち前妻面が壁構造をなし、後妻面及び側面の各壁面のうち少なくとも一面が開口部を有し、該開口部に扉を備えるコンテナであって、一対の前妻柱と、一対の後妻柱と、前記コンテナの長手方向に沿って延びる、前記一対の前妻柱と前記一対の後妻柱との辺間をつなぐ側上梁及び側下梁と、前記コンテナの幅方向に沿って延びる、前記一対の前妻柱の辺間をつなぐ前妻上梁及び前妻下梁と、前記コンテナの幅方向に沿って延びる、前記一対の後妻柱の辺間をつなぐ後妻上梁及び後妻下梁とを備えるコンテナ本体と、前記一対の後妻柱の上端に固定される第１隅金具と、前記前妻面の壁面からオフセットされ、連結部を介して前記一対の前妻柱の上端と連結される第２隅金具と、を備えるコンテナ（請求項１）。
【０００８】
本項に係るコンテナは、妻面の各壁面のうち前妻面が壁構造をなし、後妻面及び側面の各壁面のうち少なくとも一面が開口部を有し、この開口部に扉を備える。この構造により、前妻面の強度は、開口部を有した場合の後妻面と比較して、同等若しくは高くなる。また、コンテナは、一対の前妻柱、一対の後妻柱、側上梁、側下梁、前妻上梁、前妻下梁、後妻上梁及び後妻下梁を備えるコンテナ本体と、一対の後妻柱の上端に固定される第１隅金具と、前妻面の壁面からオフセットされ、連結部を介して一対の前妻柱の上端と連結される第２隅金具とを備える。この構成により、トップリフタの連結具と第１隅金具及び第２隅金具とを連結して、コンテナをトップリフタによって吊って上下させる際、一対の前妻柱及び一対の後妻柱に対して引張力、曲げ力等の外力がかかるが、後妻面側では、第１隅金具が一対の後妻柱の上端に取付けられているので、一対の後妻柱に対して曲げモーメントが減少し、引張力、曲げ力等の外力の影響を小さくし、外力の負担を低減させるものとなる。一方、前妻面では、第２金具が前妻面の壁面からオフセットされているので、一対の前妻柱に対して曲げモーメントが生じ、引張力、曲げ力等の外力の影響が大きくなる。しかしながら、前妻面は壁構造をなしているので、すなわち、外壁が一対の前妻柱にかかる引張力、曲げ力等の外力を壁面で負担しているので、一対の前妻柱に対する引張力、曲げ力等の外力が低減されるものとなる。
【０００９】
（２）上記（１）項において、前記一対の前妻柱は、外板と、該外板の内面に接合される第１内側部材及び第２内側部材と、を含み、前記外板は、正面視矩形状の板状部材であり、前記第１内側部材は、断面視コの字状をなし、該コの字状を構成する２つの脚部が前記外板の内面に接合され、前記第２内側部材は、断面視Ｌ字状をなし、前記第１内側部材よりも前記コンテナの幅方向室内側に位置され、前記Ｌ字状を構成する一方の脚部が前記外板の内面に接合され、他方の脚部が前記第１内側部材に接合されるコンテナ（請求項２）。
【００１０】
本項に係るコンテナにおいて、一対の前妻柱は、外板と、外板の内面に接合される第１内側部材及び第２内側部材とを含む。より具体的には、外板は、正面視矩形状の板状部材であり、第１内側部材は、断面視コの字状をなし、コの字状を構成する２つの脚部が外板の内面に接合され、第２内側部材は、断面視Ｌ字状をなし、第１内側部材よりもコンテナの幅方向室内側に位置され、Ｌ字状を構成する一方の脚部が外板の内面に接合され、他方の脚部が第１内側部材に接合される。このような構成によって、外板、第１内側部材及び第２内側部材の形状が複雑化せず、一対の前妻柱が簡易な構造となる。また、この構成であっても、上述の（１）項に記載の、前妻面が壁構造をなす構成から、前妻面の必要強度が確保され、コンテナがトップリフタに吊り上げられた状態でも外壁によって一対の前妻柱に対する引張力、曲げ力等の外力の負担が低減される。このため、一対の前妻柱の必要強度を確保しつつ、一対の前妻柱の断面積を可能な限り縮小し、かつ、一対の前妻柱の軽量化及び小型化に資するものとなる。また、一対の前妻柱の小型化によって、一対の前妻柱の内面（室内側の面）がコンテナの最外縁寄りに位置するので、コンテナの室内容積の増加に寄与するものとなる。さらに、コンテナの一方の側面又は両側面が開口部を有する構造である場合、一対の前妻柱の断面積の縮小により、一対の前妻柱の、コンテナの長手方向室内側の端面から一対の後妻柱の、コンテナの長手方向室内側の端面の寸法（すなわち、コンテナの長手方向における開口幅寸法）が大きくなり、開口部の面積の拡大に寄与するものとなる。
【００１１】
（３）上記（１）又は（２）項において、前記一対の後妻柱は、外側部材と、該外側部材の内面に接合される内側部材と、を含み、前記外側部材は、前記コンテナの室内側から前記コンテナの幅方向外側に延びる第１脚部と、該第１脚部に続いて、前記第１脚部の基端から前記コンテナの長手方向内側へと略直角に折り曲げられ、前記コンテナの長手方向に沿って延びる平面部と、該平面部に続いて、前記コンテナの幅方向室内側にクランク状に折り曲げられるクランク部と、該クランク部に続いて、前記コンテナの幅方向室内側に略直角に折り曲げられ、前記コンテナの幅方向室内側に延びる第２脚部と、を含み、前記内側部材は、断面視コの字状をなし、該コの字状を構成する一方の脚部が前記外側部材の前記平面部の内面に接合され、他方の脚部の外面が前記外側部材の前記第２脚部の内面と接触する態様で接合されるコンテナ（請求項３）。
【００１２】
本項に係るコンテナにおいて、一対の後妻柱の構造は、外側部材と、外側部材の内面に接合される内側部材とを含む。より具体的には、外側部材は、コンテナの室内側からコンテナの幅方向外側に延びる第１脚部と、第１脚部に続いて、第１脚部の基端からコンテナの長手方向内側へと略直角に折り曲げられ、コンテナの長手方向に沿って延びる平面部と、平面部に続いて、コンテナの幅方向室内側にクランク状に折り曲げられるクランク部と、クランク部に続いて、コンテナの幅方向室内側に略直角に折り曲げられ、コンテナの幅方向室内側に延びる第２脚部とを含む。内側部材は、断面視コの字状をなし、コの字状を構成する一方の脚部が外側部材の平面部の内面に接合され、他方の脚部の外面が外側部材の第２脚部の内面と接触する態様で接合される。このような構成であっても、上述の（１）項に記載の、第１隅金具が一対の後妻柱の上端に取付けられる構成により、コンテナがトップリフタに吊り上げられた状態でも一対の後妻柱に対する引張力、曲げ力等の外力の負担が低減される。このため、一対の後妻柱の必要強度を確保しつつ、一対の後妻柱の断面積を可能な限り縮小し、かつ、一対の後妻柱の軽量化及び小型化に資するものとなる。また、一対の後妻柱の小型化によって、一対の後妻柱の内面（室内側の面）がコンテナの最外縁寄りに位置するので、コンテナの室内容積の増加に寄与するものとなる。さらに、コンテナの一方の側面又は両側面が開口部を有する構造である場合、一対の後妻柱の断面積が縮小されることにより、一対の後妻柱の、コンテナの長手方向室内側の端面から一対の前妻柱の、コンテナの長手方向室内側の端面の寸法（すなわち、コンテナの長手方向における開口幅寸法）が大きくなり、開口部の面積の拡大に寄与するものとなる。
【００１３】
（４）上記（１）乃至（３）項のいずれか１項において、前記側下梁は、外側部材と、該外側部材の内面に接合される内側部材と、を含み、前記外側部材は、平面視矩形状の板状部材であり、前記内側部材は、断面視コの字状をなし、該コの字状を構成する２つの脚部が前記外側部材の内面に接合され、前記外側部材が前記内側部材よりも肉厚に形成されているコンテナ（請求項４）。
【００１４】
本項に係るコンテナにおいて、側下梁は、外側部材と、外側部材の内面に接合される内側部材とを含む。より具体的には、外側部材は、平面視矩形状の板状部材であり、内側部材は、断面視コの字状をなし、コの字状を構成する２つの脚部が外側部材の内面に接合され、外側部材が内側部材よりも肉厚に形成されている。このような構成により、必要最小限まで部品数が減り、側下梁が簡易な構造となる。また、外側部材が内側部材よりも肉厚に形成されることで、側下梁の必要強度を確保しつつ、側下梁の高さ寸法を可能な限り小さくし、かつ、側下梁の軽量化及び小型化に資するものとなる。また、側下梁の小型化によって、側下梁の内面（室内側の面）がコンテナの最外縁寄りに位置するので、コンテナの室内容積の増加に寄与するものとなる。さらに、コンテナの一方の側面又は両側面が開口部を有する構造である場合、側下梁の高さ寸法が小さくなることで、側下梁の内側部材の、コンテナの高さ方向の内側端面から側上梁の内側部材の、コンテナの高さ方向の内側端面の寸法（すなわち、コンテナの高さ方向における開口高さ寸法）が大きくなり、開口部の面積の拡大に寄与するものとなる。
【００１５】
（５）上記（１）乃至（４）項のいずれか１項において、前記一対の前妻柱の、前記コンテナの長手方向室内側の上端側面には、前記コンテナの長手方向に沿って延び、前記側上梁に接合される板状の補強部材が設けられているコンテナ（請求項５）。
【００１６】
本項に係るコンテナにおいて、一対の前妻柱の、コンテナの長手方向室内側の上端側面には、コンテナの長手方向に沿って延び、側上梁に接合される板状の補強部材が設けられている。この構成により、補強部材が第２隅金具及び連結具を支持しつつ、コンテナを吊り上げた際、補強部材を介して一対の前妻柱にかかる外力が緩和され、一対の前妻柱にかかる外力の低減に寄与するものとなる。
【発明の効果】
【００１７】
本発明は、以上のように構成したことにより、コンテナの妻柱の構造を小型化し、コンテナを吊り上げた際の妻柱に対する負担を低減させ、荷物の出し入れするための開口幅及びコンテナの室内容積を拡大させ、かつ、コンテナを軽量化させることが可能となる。
【図面の簡単な説明】
【００１８】
【図１】本発明の一実施形態に係るコンテナを示す図であり、（ａ）は、コンテナの上面図であり、（ｂ）は、コンテナの左側面図であり、（ｃ）は、コンテナの右側面図である。
【図２】図１に示すコンテナであり、（ａ）は、コンテナの前妻面の図であり、（ｂ）は、コンテナの後妻面の図である。
【図３】図２に示すコンテナの前妻柱であり、（ａ）は、コンテナの前妻面から見た図であり、（ｂ）は、コンテナの右側面から見た図である。
【図４】図３（ｂ）に示すＡ−Ａ線に沿う断面図である。
【図５】図３（ｂ）に示す一点鎖線部分の拡大図である。
【図６】図２に示すコンテナの後妻柱であり、（ａ）は、コンテナの後妻側から見た図であり、（ｂ）は、コンテナの右側面から見た図である。
【図７】図６（ｂ）に示すＢ−Ｂ線に沿う断面図である。
【図８】図６（ｂ）に示す一点鎖線部分の拡大図である。
【図９】本発明の一実施形態に係るコンテナの床構造の平面図である。
【図１０】図９に示す側下梁、前妻下梁及び後妻下梁であり、（ａ）は、側下梁の図であり、（ｂ）は、前妻下梁の図であり、（ｃ）は、後妻下梁の図である。
【図１１】図１０（ａ）に示すＣ−Ｃ線に沿う断面図である。
【発明を実施するための形態】
【００１９】
以下、本発明の一実施形態に係るコンテナの構成を図１〜図１１に基づいて詳細に説明する。ここで、以下の説明では、コンテナの一例として、全長３１ｆｔの三方開きのコンテナについて説明する。
【００２０】
本発明の一実施形態に係るコンテナ１は、図１及び図２に示すように、一方の妻面５（前妻面）の面が壁構造をなし（図２（ａ）参照）、他方の妻面７（後妻面、図２（ｂ）参照）及び両側面３Ｌ，３Ｒ（図１（ｂ）及び図１（ｃ）参照）の三面が開口部１１Ｌ，１１Ｒ，１１Ｂ（図１（ｂ）及び図１（ｃ）、図２（ｂ）の破線参照）を有するコンテナ本体９と、開口部１１Ｌ，１１Ｒ，１１Ｂに設けられる扉１３Ｌ，１３Ｒ，１３Ｂとを含む。また、コンテナ１には、その荷役作業時、トップリフタ（図示せず）の連結具（図示せず）と連結する、前妻側金具１５Ｌ，１５Ｒ（第２隅金具）及び後妻側金具１７Ｌ，１７Ｒ（第１隅金具）とを含む。
【００２１】
コンテナ１の前妻面５側の構造は、図２（ａ）に示すように、一対の前妻柱１９Ａ，１９Ｂと、コンテナ１の幅方向（図２（ａ）の紙面左右方向）に沿って延びる、一対の前妻柱１９Ａ，１９Ｂの辺間をつなぐ前妻上梁２１及び前妻下梁２３と、一対の前妻柱１９Ａ，１９Ｂ、前妻上梁２１及び前妻下梁２３に囲まれる領域に設けられる外壁板２５と、この外壁板２５と反対側（コンテナ１の室内側）に配置される内張板（図示せず）とを備える。外壁板２５は、図２（ａ）の紙面上下方向に延びる凸条部２５ａ及び凹条部２５ｂとが、コンテナ１の幅方向に交互に形成された波板状を有している。さらに、前妻面５には、外壁板２５からオフセットされて配置された一対の前妻側金具１５Ｌ，１５Ｒが設けれている。この一対の前妻側金具１５Ｌ，１５Ｒは、連結具３３Ｌ，３３Ｒを介して一対の前妻柱１９Ａ，１９Ｂに連結されている（図１（ｂ）及び図１（ｃ）参照）。
【００２２】
図３（ａ）及び図３（ｂ）には、一対の前妻柱１９Ａ，１９Ｂのうち、図２（ａ）における紙面右側に位置する前妻柱１９Ａが示されている。なお、一対の前妻柱１９Ａ，１９Ｂは、図２（ａ）に示された配置において、左右対称の構造となっているので、ここでは、前妻柱１９Ａを例にして、以下に説明し、前妻柱１９Ｂの説明は省略する。
図３〜図５に示すように、前妻柱１９Ａは、外板２７と、この外板２７の内面２７ａ（コンテナ１の室内側の面）に接合される第１内側部材２９及び第２内側部材３１とを含む。外板２７は、正面視矩形状の板状部材である。第１内側部材２９は、図４に示されるように断面視でコの字状をなし、２つの脚部３５ａ，３５ｂと、この脚部３５ａ，３５ｂとの間に位置する平面部３７とを含む。また、第１内側部材２９は、外板２７の一端に対してコンテナ１の幅方向室内側（図４の紙面上側）寄り、すなわち、外板２７の幅方向中央寄りに位置され、コの字状を構成する脚部３５ａ，３５ｂが外板２７の内面２７ａに接合されている。第２内側部材３１は、断面視Ｌ字状をなし、第１内側部材２９よりもコンテナ１の幅方向室内側に位置されている（図４参照）。また、第２内側部材３１の一方の脚部３９ａが外板２７の内面２７ａに接合され、他方の脚部３９ｂが第１内側部材２９の脚部３５ｂに接合される。第１内側部材２９と外板２７と接合した状態では、第１内側部材２９と外板２７とによって、段部４１（図４参照）が形成され、この段部４１に一対のヒンジラグ４３，４３（図３（ａ）、図３（ｂ）及び図４参照）が設置される。この一対のヒンジラグ４３，４３は、ヒンジ組立４５（図３（ａ）、図３（ｂ）及び図５参照）が取付けられており、このヒンジ組立４５は、コンテナ１の側面側の扉１３Ｒ（図１（ｃ）参照）の、開閉構造を構成するものである。また、図５に示すように、前妻柱１９Ａには、その上端側面、すなわち、第１内側部材２９の、コンテナ１の長手方向の室内側内面からコンテナ１の長手方向室内側に向かって延びる、複数の補強部材４７（本実施形態では、２つ（図３（ａ）及び図５  参照））が設けられている。この補強部材４７は、側面視略楔状をなす板状部材であり、連結部３３Ｒ、前妻側金具１５Ｒ及び側上梁８１Ｒ（右側上梁、図１（ｃ）参照）の一部の下面に接合されており、連結部３３Ｒ及び前妻側金具１５Ｒを支持している。
【００２３】
コンテナ１の後妻面７側の構造は、図２（ｂ）に示すように、一対の後妻柱４９Ａ，４９Ｂと、コンテナ１の幅方向（図２（ｂ）の紙面左右方向）に沿って延びる、一対の後妻柱４９Ａ，４９Ｂの辺間をつなぐ後妻上梁５１及び後妻下梁５３とを備える。一対の後妻柱４９Ａ，４９Ｂには、その上端に後妻側金具１７Ｌ，１７Ｒ（図１（ｂ）及び（ｃ）参照）が設けられている。後妻面７側の開口部１１Ｂには、観音開きの扉１３Ｂが設けられている。
【００２４】
図６（ａ）及び図６（ｂ）には、一対の後妻柱４９Ａ，４９Ｂのうち、図２（ｂ）における紙面左側に位置する後妻柱４９Ａが示されている。なお、一対の後妻柱４９Ａ，４９Ｂは、図２（ｂ）に示された配置において、左右対称の構造となっているので、ここでは、後妻柱４９Ａを例にして、以下に説明し、後妻柱４９Ｂの説明は省略する。
図６〜図８に示すように、後妻柱４９Ａは、外側部材５５と、この外側部材５５の内面５５ａ（コンテナ１の室内側の面）に接合される内側部材５７とを含む。外側部材５５は、図７に示された断面視で、コンテナ１の幅方向室内側（図７の紙面上側）からコンテナ１の幅方向外側（図７の紙面下側）に延びる第１脚部５９と、この第１脚部５９に続いて、第１脚部５９の基端（図７の紙面下側の端部）からコンテナ１の長手方向内側（図７の紙面左側）へと略直角に折り曲げられ、コンテナ１の長手方向に沿って延びる平面部６１と、この平面部６１に続いて、コンテナ１の幅方向室内側にクランク状に折り曲げられるクランク部６３と、このクランク部６３に続いて、コンテナ１の幅方向室内側に略直角に折り曲げられて、コンテナ１の幅方向室内側に延びる第２脚部６５とを含む。外側部材５５の第１脚部５９と、この第１脚部５９に続く平面部６１とに設けられた切欠き部６７（本実施形態では、４箇所、図６（ａ）及び図６（ｂ）参照）に、後妻面７の扉１３Ｂに対応するヒンジ組立７１を取付けた一対のヒンジラグ６９，６９（図６（ａ）及び図６（ｂ）参照）が設けられる。また、外側部材５５のクランク部６３には、右側面３Ｒ側の扉１３Ｒに対応するヒンジ組立７５を取付けた一対のヒンジラグ７３，７３（図７及び図８参照）が設けられる。内側部材５７は、図７に示されるように断面視でコの字状をなし、コの字状を構成する２つの脚部７７ａ，７７ｂと、この脚部７７ａ，７７ｂとの間に位置する平面部７９とを含む。内側部材５７の一方の脚部７７ａは、外側部材５５の平面部６１の内面（コンテナ１の室内側の面）に接合され、他方の脚部７７ｂは、その外面と外側部材５５の第２脚部６５の内面と接触する態様で接合されている。また、図７に示すように、脚部７７ａは、その紙面上下方向の長さが脚部７７ｂの長さより長く設定されている。
【００２５】
次に、コンテナ１の両側面３Ｌ，３Ｒ側の構造について、説明する。図１（ｂ）には、コンテナ１の左側面３Ｌが示され、図１（ｃ）には、コンテナ１の右側面３Ｒが示されている。なお、コンテナ１の左側面３Ｌ及び右側面３Ｒの構造は、略同一の構造となっているで、ここでは、コンテナ１の右側面３Ｒを例にして、以下に説明し、コンテナ１の左側面３Ｌの説明は省略する。
コンテナ１の右側面３Ｒの構造は、前妻柱１９Ａと、後妻柱４９Ａと、コンテナ１の幅方向（図１（ｃ）の紙面左右方向）に沿って延びる、前妻柱１９Ａと後妻柱４９Ａとの辺間をつなぐ側上梁８１Ｒ及び側下梁８３Ｒ（右側下梁）とを含む。側下梁８３Ｒは、図１０（a）及び図１１に示されるように、外側部材８５と、内側部材８７とを含む。また、側下梁８３Ｒには、フォークリフト（図示せず）の爪（図示せず）を挿入するための挿入口８９，８９（本実施形態では、２つ、図１（ｂ）及び（ｃ）、図１０（ａ）参照）が設けられている。外側部材８５は、平面視矩形状の板状部材である。内側部材８７は、図１１に示された断面視でコの字状をなし、コの字状を構成する２つの脚部９１ａ，９１ｂと、この脚部９１ａ，９１ｂとの間に位置する平面部９３とを含む。２つの脚部９１ａ，９１ｂは、外側部材８５の内面８５ａ（コンテナ１の室内側の面）に接合される。また、コンテナ１の右側面３Ｒの開口部１１Ｒに折畳式の扉１３Ｒ，１３Ｒが設けられている。
【００２６】
次に、コンテナ１の床構造９５（図９参照）について、説明する。
床構造９５は、前妻下梁２３と、後妻下梁５３と、一対の側下梁８３Ｌ，８３Ｒ（左側下梁、右側下梁）と、複数の床下梁９７と、床板（図示せず）とを含む。前妻下梁２３は、一対の側下梁８３Ｌ，８３Ｒの一方の端部に組合され、後妻下梁５３は、一対の側下梁８３Ｌ，８３Ｒの他方の端部と組合される。図１０（ｂ）に示すように、前妻下梁２３は、外側部材９９を含む。図１０（ｃ）に示すように、後妻下梁５３は、外側部材１０３と、内側部材１０５とを含む。複数の床下梁９７は、一対の側下梁８３Ｌ，８３Ｒ間に配置され、床下梁９７の両端部が一対の側下梁８３Ｌ，８３Ｒの内面に接合される。また、前妻下梁２３と、後妻下梁５３と、一対の側下梁８３Ｌ，８３Ｒと、複数の床下梁９７とを組立てた際、これらの上端面が略同一面上になるように設定される。ここで、「略同一面上」とは、完全同一のみならず、構造上や寸法精度上、上記作用を発揮する上で許容可能な範囲での位置の誤差を含む意味である。
【００２７】
以上、上記構成を有する一実施形態に係るコンテナ１によれば、次のような作用効果を得ることができる。コンテナ１は、妻面の各壁面のうち後妻面７、及び、両側面３Ｌ，３Ｒの各壁面が開口部１１Ｌ，１１Ｒ，１１Ｂを有するのに対し、前妻面５が壁構造をなしていることから、前妻面５側の強度は、開口部１１Ｂを有する後妻面７の壁面の強度と比較して、同等若しくは高くなる。ここで、コンテナ１は、トップリフタの連結具と一対の後妻側金具１７Ｌ，１７Ｒ及び一対の前妻柱１９Ａ，１９Ｂとを連結して、コンテナ１をトップリフタによって吊って上下させる際、一対の前妻柱１９Ａ，１９Ｂ及び一対の後妻柱４９Ａ，４９Ｂに対して引張力、曲げ力等の外力がかかる。この際、後妻面７側では、後妻側金具１７Ｌ，１７Ｒが一対の後妻柱４９Ａ，４９Ｂの上端に取付けられているので、一対の後妻柱４９Ａ，４９Ｂに対しては曲げモーメントが減少し、引張力、曲げ力等の外力の影響を小さくし、外力の負担を低減させることが可能となる。一方、前妻面５側では、一対の前妻側金具１５Ｌ，１５Ｒが一対の前妻柱１９Ａ，１９Ｂからオフセットされているので、一対の前妻柱１９Ａ，１９Ｂには、曲げモーメントが生じ、引張力、曲げ力等の外力の影響が大きくなる。しかしながら、前妻面５側は壁構造をなしているので、すなわち、外壁板２５が一対の前妻柱１９Ａ，１９Ｂにかかる引張力、曲げ力等の外力を壁面でも負担するので、一対の前妻柱１９Ａ，１９Ｂに対する引張力、曲げ力等の外力が低減されることとなる。これにより、一対の前妻柱１９Ａ，１９Ｂの必要強度を確保しつつ、一対の前妻柱１９Ａ，１９Ｂの断面積を可能な限り縮小し、かつ、一対の前妻柱１９Ａ，１９Ｂの軽量化及び小型化に資することとなる。
【００２８】
また、コンテナ１によると、一対の前妻柱１９Ａ，１９Ｂは、正面視矩形状の外板２７、断面視コの字状をなす第１内側部材２９及び断面視Ｌ字状をなす第２内側部材３１を含み、このような形状によって、外板２７、第１内側部材２９及び第２内側部材３１が複雑化せず、一対の前妻柱１９Ａ，１９Ｂが簡易な構造となる。
【００２９】
さらに、コンテナ１によると、一対の前妻柱１９Ａ，１９Ｂの小型化によって、一対の前妻柱１９Ａ，１９Ｂの内面（室内側の面）がコンテナ１の最外縁寄りに位置するので、コンテナ１の室内容積の増加に寄与することが可能となる。また、一対の前妻柱１９Ａ，１９Ｂの断面積の縮小により、一対の前妻柱１９Ａ，１９Ｂの、コンテナ１の長手方向室内側の端面から一対の後妻柱４９Ａ，４９Ｂの、コンテナの長手方向室内側の端面の寸法（すなわち、コンテナ１の長手方向における開口幅寸法）が大きくなり、両側面３Ｌ，３Ｒの開口部１１Ｌ，１１Ｒの面積の拡大に寄与することが可能となる。
【００３０】
一方、一対の後妻側金具１７Ｌ，１７Ｒは、一対の後妻柱４９Ａ，４９Ｂの上端に取付けられているので、コンテナ１がトップリフタに吊って上下させた状態でも一対の後妻柱４９Ａ，４９Ｂに対する引張力、曲げ力等の外力の負担が低減される。このため、一対の後妻柱４９Ａ，４９Ｂの必要強度を確保しつつ、一対の後妻柱４９Ａ，４９Ｂの断面積を可能な限り縮小し、かつ、一対の後妻柱４９Ａ，４９Ｂの軽量化及び小型化に資することとなる。さらに、一対の後妻柱４９Ａ，４９Ｂの断面積が縮小されることにより、一対の後妻柱４９Ａ，４９Ｂの、コンテナ１の長手方向室内側の端面から一対の前妻柱１９Ａ，１９Ｂの、コンテナ１の長手方向室内側の端面の寸法（すなわち、コンテナ１の長手方向における開口幅寸法）が大きくなり、両側面３Ｌ，３Ｒの開口部１１Ｌ，１１Ｒの面積の拡大に寄与することが可能となる。
【００３１】
コンテナ１によると、側下梁８３Ｌ，８３Ｒは、平面視矩形状の板状部材である外側部材８５と、断面視コの字状をなす内側部材８７とから構成されることで、必要最小限まで部品数が減り、側下梁８３Ｌ，８３Ｒが簡易な構造となる。また、外側部材８５が内側部材８７よりも肉厚に形成されているので、側下梁８３Ｌ，８３Ｒの必要強度を確保しつつ、側下梁８３Ｌ，８３Ｒの高さ寸法を可能な限り小さくし、かつ、側下梁８３Ｌ，８３Ｒの軽量化及び小型化に資することが可能となる。側下梁８３Ｌ，８３Ｒの小型化によって、側下梁８３Ｌ，８３Ｒの内面（室内側の面）がコンテナ１の最外縁寄りに位置するので、コンテナ１の室内容積の増加に寄与することが可能となる。さらに、側下梁８３Ｌ，８３Ｒの高さ寸法が小さくなることで、側下梁８３Ｌ，８３Ｒの内側部材８７の、コンテナ１の高さ方向の内側端面から側上梁８１Ｌ，８１Ｒ（左側上梁、右側上梁）の内側部材の、コンテナ１の高さ方向の内側端面の寸法（すなわち、コンテナ１の高さ方向における開口高さ寸法）が大きくなり、一対の前妻柱１９Ａ，１９Ｂ及び一対の後妻柱４９Ａ，４９Ｂと併せて、両側面３Ｌ，３Ｒの開口部１１Ｌ，１１Ｒの面積の拡大に寄与することが可能となる。
【００３２】
さらに、一対の前妻柱１９Ａ，１９Ｂの、コンテナ１の長手方向室内側の上端側面に、コンテナ１の長手方向に沿って延び、側上梁８１Ｌ，８１Ｒに接合される板状の補強部材４７を設けることで、補強部材４７が前妻側金具１５Ｌ，１５Ｒ及び連結具３３Ｌ，３３Ｒを支持することとなる。よって、コンテナ１を吊り上げた際、補強部材４７を介して一対の前妻柱１９Ａ，１９Ｂにかかる外力が緩和され、一対の前妻柱１９Ａ，１９Ｂにかかる外力の低減に寄与することが可能となる。
【００３３】
なお、一実施形態に係るコンテナ１は、三方開きであるが、後妻面７及び両側面３Ｌ，３Ｒのうちいずれか一方が開口部を有する二方開きのコンテナや、両側面３Ｌ、３Ｒのみに開口部を有する二方開きのコンテナや、後妻面７のみが開口部を有する一方開きのコンテナ等の、開口部の配置が異なる他のコンテナにも本実施の形態を適用することが可能である。また、コンテナ１は、鉄道コンテナ、トレーラコンテナ等の様々なコンテナに適用してもよい。
【００３４】
また、一実施形態に係るコンテナ１において、一対の前妻柱１９Ａ，１９Ｂは、外板２７と、この外板２７の内面２７ａに接合される第１内側部材２９及び第２内側部材３１とから構成されているが、外板２７と、第１内側部材２９とから構成されてもよい。さらに、第２内側部材３１は、断面視Ｌ字状をなしているが、断面視コの字状等の他の形状であってもよい。
【符号の説明】
【００３５】
１…コンテナ、３Ｌ…左側面（側面）、３Ｒ…右側面（側面）、５…前妻面、７…後妻面、１５Ｌ，１５Ｒ…前妻側金具（第２隅金具）、１７Ｌ，１７Ｒ…後妻側金具（第１隅金具）、１９…一対の妻柱、２１…前妻上梁、２３…前妻下梁、３３Ｌ，３３Ｒ…連結具、４９…一対の後妻柱、５１…後妻上梁、５３…後妻下梁、８１Ｌ…側上梁（左側上梁）、８１Ｒ…側上梁（右側上梁）、８３Ｌ…側下梁（左側下梁）、８３Ｒ…側下梁（右側下梁）
【図１】
2020111363.tif 000003
【図２】
2020111363.tif 000004
【図３】
2020111363.tif 000005
【図４】
2020111363.tif 000006
【図５】
2020111363.tif 000007
【図６】
2020111363.tif 000008
【図７】
2020111363.tif 000009
【図８】
2020111363.tif 000010
【図９】
2020111363.tif 000011
【図１０】
2020111363.tif 000012
【図１１】
2020111363.tif 000013